(57)【要約】 【課題】反射シートにしわが寄る現象を防ぐ手段を有するバックライトアセンブリーを提供する。 【解決手段】導光板１１０はランプから出射された光をガイドし、 反射板１３０は導光板から漏洩する光を反射する。受納容器１６０は反射板、ランプ１１２及び導光板を受納するが、底面に具備される離隔部材を通じて反射板と導光板とを一定間隔に離隔させる。これによって、暗部発生の要因である前記反射板のシートにしわが寄る現象を防ぐことができる。【選択図】図３
2005032723.tif 000002
【特許請求の範囲】
【請求項１】
導光板と前記導光板の下部に具備される反射板を受納する受納容器において、
前記受納容器は、
底面と、
前記底面に形成され、前記導光板を支えながら前記反射板から前記導光板を一定間隔に離隔させる一つ以上の離隔部材と、
前記底面のエッジから延び出し、前記導光板と反射板を受納するために、受納空間を形成する一つ以上の壁と、を含むことを特徴とする受納容器。
【請求項２】
前記離隔部材は、前記底面を突出させたエンボシング部分であることを特徴とする請求項１記載の受納容器。
【請求項３】
前記離隔部材は、前記底面に形成された突出部材であることを特徴とする請求項１記載の受納容器。
【請求項４】
前記離隔部材は、前記底面のエッジ領域の近傍に形成されたことを特徴とする請求項１記載の受納容器。
【請求項５】
光を出射するランプと、
前記光をガイドする導光板と、
前記導光板の下に具備され、前記導光板から漏洩する光を前記導光板に反射する第１反射板と、
前記第１反射板、ランプ、及び導光板を受納するが、底面に具備される離隔部材を通じて前記反射板と導光板とを一定間隔で離隔させる受納容器と、を含むことを特徴とするバックライトアセンブリー。
【請求項６】
前記第１反射板には、前記離隔部材に対応して第１ホールが形成されたことを特徴とする請求項５記載のバックライトアセンブリー。
【請求項７】
前記離隔部材の高さは、前記第１反射板の厚さより大きいことを特徴とする請求項６記載のバックライトアセンブリー。
【請求項８】
前記第１反射板と受納容器との間に配置された第２反射板を更に含むことを特徴とする請求項５記載バックライトアセンブリー。
【請求項９】
前記第２反射板は、前記ランプの外側を囲むことを特徴とする請求項８記載のバックライトアセンブリー。
【請求項１０】
前記第２反射板には、前記離隔部材に対応して第２ホールが形成されたことを特徴とする請求項８記載のバックライトアセンブリー。
【請求項１１】
前記離隔部材の高さは、前記第１反射板と第２反射板の厚さの合計より大きいことを特徴とする請求項８記載のバックライトアセンブリー。
【請求項１２】
前記第２反射板は、前記受納容器の底面と壁の内側面に対面することを特徴とする請求項８記載のバックライトアセンブリー。
【請求項１３】
前記第２反射板は、前記第１反射板から漏洩する光を前記第１反射板に反射し、前記ランプから漏洩する光を前記導光板に反射することを特徴とする請求項１２記載のバックライトアセンブリー。
【請求項１４】
前記ランプは、Ｉ字型ランプであることを特徴とする請求項５記載のバックライトアセンブリー。
【請求項１５】
前記ランプは、Ｌ字型ランプであることを特徴とする請求項５記載のバックライトアセンブリー。
【請求項１６】
光を出射するランプと、
前記光の入射を受ける入射面と、入射された光をガイドして出射面を通じて出射するものであり、底面に形成された一つ以上の離隔部材を有する導光板と、
前記導光板の下に具備され、前記導光板を経由して漏洩する光を前記導光板に反射する第１反射板と、
前記第１反射板、ランプ、及び導光板を受納するものであり、前記導光板に形成された離隔部材を通じて前記反射板と導光板との間を一定間隔で離隔させる受納容器と、を含むことを特徴とするバックライトアセンブリー。
【請求項１７】
前記第１反射板には、前記離隔部材に対応して第１ホールが形成されたことを特徴とする請求項１６記載のバックライトアセンブリー。
【請求項１８】
前記第１反射板と受納容器との間には、第２反射板が更に具備されることを特徴とする請求項１６記載のバックライトアセンブリー。
【請求項１９】
前記第２反射板には、前記離隔部材に対応して第２ホールが形成されたことを特徴とする請求項１８記載のバックライトアセンブリー。
【請求項２０】
二つの基板の間に形成された液晶層を利用して画像を表示するディスプレイアセンブリーと、
光を出射するランプと、前記光をガイドする導光板と、前記導光板の下に配置され、前記導光板から漏洩する光を前記導光板に反射する第１反射板を具備するものであり、前記第１反射板から前記導光板を一定間隔に離隔させる構成を備え、前記ガイドされた光を前記ディスプレイアセンブリーに提供するバックライトアセンブリーと、
を含むことを特徴とする液晶表示装置。
【請求項２１】
前記ランプ、導光板、及び第１反射板を受納する受納容器を更に含み、
前記第１反射板には、一つ以上のホールが形成され、
前記受納容器の底面には、前記ホールに対応して形成された離隔部材が設けられ、該離隔部材を通じて前記第１反射板から前記導光板を一定間隔に離隔させることを特徴とする請求項２０記載の液晶表示装置。
【請求項２２】
前記第１反射板の下に配置された第２反射板と、
前記ランプ、導光板、第１反射板、及び第２反射板を受納する受納容器とを更に含み、
前記第１反射板には、一つ以上の第１ホールが形成され、前記第２反射板には、前記第１ホールに対応して第２ホールが形成され、
前記受納容器の底面には、前記第１ホール及び第２ホールに対応して形成された離隔部材が設けられ、該離隔部材を通じて前記第１反射板から前記導光板を一定間隔に離隔させることを特徴とする請求項２０記載の液晶表示装置。
【請求項２３】
前記第１反射板には、一つ以上のホールが形成され、
前記導光板は、前記光の入射を受ける入射面と、入射された光をガイドして出射する出射面と、前記出射面に対向する底面と、を含み、
前記底面には、前記ホールに対応する離隔部材が形成され、前記離隔部材を通じて前記第１反射板から前記導光板を一定間隔に離隔させることを特徴とする請求項２０記載の液晶表示装置。
【請求項２４】
前記第１反射板の下に配置された第２反射板を更に含み、
前記第１反射板には、一つ以上の第１ホールが形成され、前記第２反射板には、前記第１ホールに対応して第２ホールが形成され、
前記導光板は、前記光の入射を受ける入射面と、入射された光をガイドして出射する出射面と、前記出射面に対向する底面と、を含み、
前記底面には、前記第１ホール及び第２ホールに対応する離隔部材が形成され、前記離隔部材を通じて前記第１反射板から前記導光板を一定間隔に離隔させることを特徴とする請求項２０記載の液晶表示装置。
【発明の詳細な説明】
【技術分野】
【０００１】
本発明は、受納容器と、これを有するバックライトアセンブリー及び液晶表示装置に関し、より詳細にはシートにしわが寄ることを防ぐために離隔部材が形成された受納容器と、これを有するバックライトアセンブリー及び液晶表示装置に関するものである。
【背景技術】
【０００２】
一般的に、充填された液晶を有する液晶パネルを利用して画像を表示する液晶表示装置（ＬＣＤ）は自己発光しないので、前記液晶パネルの上部に入射する自然光を反射させて画像を表示するか、または前記液晶パネルの背面から別のバックライトアセンブリーから提供される人工光を透過させて画像を表示する。
【０００３】
前記バックライトアセンブリーは、光をガイドする導光板を具備するエッジ型バックライトアセンブリーと、前記導光板を具備しない直下型バックライトアセンブリーとに分類される。また、前記エッジ型バックライトアセンブリーに具備される導光板の形状によってフラット型バックライトアセンブリーとウエッジ（くさび）型バックライトアセンブリーとに区分される。
【０００４】
図１及び図２は、一般的なエッジ型バックライトアセンブリーを示すための図であって、特に図１はフラット型バックライトアセンブリーを、図２はウエッジ型バックライトアセンブリーを図示する。
【０００５】
図１に図示したように、フラットタイプの導光板１０の両側部には、光の漏洩を遮断する第１及び第２ランプリフレクター１２ａ，１２ｂの内側にそれぞれ第１及び第２ランプユニット１４ａ，１４ｂが設けられ、導光板１０はそれらから光の提供を受けて光学シート群１６（シートは１つであることもあり得るが一般には複数であるため「群」と表示する）側にガイドする。また、導光板１０の下部に漏洩する光を再反射させるために、導光板とは別の部材である反射板１８を具備する。
【０００６】
一方、図２に図示したように、ウェッジタイプの導光板２０の場合、その一側部には、光の漏洩を遮断するランプリフレクター２２の内側にランプユニット２４が設けられ、導光板２０はそれから光の提供を受けて光学シート群２６側にガイドする。また、導光板２０の下部に漏洩する光を再反射させるために、導光板とは別の部材である反射板２８を具備する。
【０００７】
しかし、前記ランプが点灯されて温度が上昇することによって、前記導光板の下部に具備される前記反射板（シートの形態をとる）にはしわが寄る現象が発生する。即ち、前記ランプに近接する部分の反射板の膨張程度と、遠い側の反射板の膨張程度が異なるためである。これに加えて、  前記反射板が前記導光板に押されている構造なので、前記シートにしわが寄る現象は更に加重される。
【発明の開示】
【発明が解決しようとする課題】
【０００８】
本発明の技術と課題は、このような従来の問題点を解決するためのものであって、本発明の目的は、反射板にしわが寄ることによって発生する暗部をなくすために、離隔部材が形成された受納容器を提供することにある。
【０００９】
また、本発明の他の目的は、前記受納容器を有するバックライトアセンブリーを提供することにある。
また、本発明の他の目的は、前記バックライトアセンブリーを有する液晶表示装置を提供することにある。
【課題を解決するための手段】
【００１０】
前記した本発明の目的を実現するための受納容器は、導光板と前記導光板の下部に具備される反射板を受納する受納容器において、前記受納容器は、底面と、前記底面に形成され、前記導光板を支えながら前記反射板から前記導光板を一定間隔に離隔させる一つ以上の離隔部材と、前記底面のエッジから延び出し、前記導光板と反射板を受納するために、受納空間を形成する一つ以上の壁と、を含む。
【００１１】
また、前記した本発明の他の目的を実現するための一つの特徴によるバックライトアセンブリーは、光を出射するランプと、前記光をガイドする導光板と、前記導光板の下に具備され、前記導光板から漏洩する光を前記導光板に反射する第１反射板と、前記第１反射板、ランプ、及び導光板を受納するが、底面に具備される離隔部材を通じて前記反射板と導光板とを一定間隔で離隔させる受納容器と、を含む。
【００１２】
また、前記本発明の他の目的を実現するため一特徴によるバックライトアセンブリーは、光を出射するランプと、前記光の入射を受ける入射面と、入射された光をガイドして出射面を通じて出射するものであり、底面に形成された一つ以上の離隔部材を有する導光板と、前記導光板の下に具備され、前記導光板を経由して漏洩する光を前記導光板に反射する第１反射板と、前記第１反射板、ランプ、及び導光板を受納するものであり、前記導光板に形成された離隔部材を通じて前記反射板と導光板との間を一定間隔で離隔させる受納容器と、を含む。
【００１３】
また、前記した本発明の他の目的を実現するための液晶表示装置は、二つの基板の間に形成された液晶層を利用して画像を表示するディスプレイアセンブリーと、光を出射するランプと、前記光をガイドする導光板と、前記導光板の下に配置されて前記導光板から漏洩する光を前記導光板に反射する第１反射板を具備するものであり、  前記第１反射板から前記導光板を一定間隔に離隔させる構成を備え、前記ガイドされた光を前記ディスプレイアセンブリーに提供するバックライトアセンブリーと、を含む。
【００１４】
このような受納容器と、これを有するバックライトアセンブリー及び液晶表示装置によると、導光板と反射板を一定間隔に離隔させることで、暗部発生の要因である前記反射板のシートにしわが寄る現象を防ぐことができる。
【発明を実施するための最良の形態】
【００１５】
以下では、添付した図面を参照して本発明をより詳細に説明する。
図３は、本発明の第１実施例による液晶表示装置を示すための分解斜視図であり、図４は、図３に図示した液晶表示装置を切断線Ａ−Ａ’に沿って見た断面図である。特に、Ｉ字型（直線形）ランプと一つの反射板を有するバックライトアセンブリーを採用する液晶表示装置を図示する。
【００１６】
図３及び図４を参照すると、本発明の第１実施例による液晶表示装置は、光を発生するバックライトアセンブリー１００、ディスプレイアセンブリー２００、及びトップシャーシ（フレーム）３００を含む。
【００１７】
バックライトアセンブリー１００は、導光板１１０と、第１及び第２ランプ１１２，１１４と、第１及び第２ランプリフレクター１２２，１２４と、反射板１３０と、光学シート群１４０と、モールドフレーム１５０と、ボトムシャーシ（フレーム）１６０とを含んで光をディスプレイアセンブリー２００に提供する。
【００１８】
具体的に、導光板１１０は、第１及び第２ランプ１１２，１１４から出射される光の経路を変更するが、望ましくは線光源を面光原に変更して光学シート群１４０に提供する。
【００１９】
第１及び第２ランプ１１２，１１４は、導光板１１０の両側にそれぞれ具備されて導光板１１０に向けられるべき光を発生させ、第１及び第２ランプリフレクター１２２，１２４は、導光板１１０のエッジに接合されて第１及び第２ランプ１１２，１１４から発散された光の漏洩を遮断する。図面上では同じ厚さのフラット型導光板を図示したが、場所により異なる厚さを有するウエッジ型導光板を採用することもできる。
【００２０】
反射板１３０は、角部の近傍に形成された第１ホール１３２、第２ホール１３４、第３ホール１３６、及び第４ホール（図示せず）を具備して、一種のシート形態に構成されて導光板１１０の下に配置され、導光板１１０から漏洩する光を導光板１１０に反射させて光の効率を高める。
【００２１】
光学シート群１４０は、拡散シートやプリズムシートなどで構成され、導光板１１０から出射される光の輝度を均一にし、集光するなどの作用を利用して光特性を改善してディスプレイアセンブリー２００に提供する。
【００２２】
モールドフレーム１５０は、ボトムシャーシ１６０に受納されてボトムシャーシ１６０に順次受納される反射板１３０、導光板１１０、第１及び第２ランプ１１２，１１４、第１及び第２ランプリフレクター１２２，１２４及び光学シート群１４０の移動を阻止し、組立の時、ディスプレイアセンブリー２００を支える。
【００２３】
ボトムシャーシ１６０は、導光板１１０を支えながら反射板１３０から導光板１１０を一定間隔に離隔するために形成された第１エンボシング部分１６２、第２エンボシング部分１６４、第３エンボシング部分１６６、及び第４エンボシング部分（図示せず）を有する底面と、前記底面のエッジから延び出し、導光板１１０及び反射板１３０を受納するための受納空間を形成する複数の壁を含む。エンボッシング部分は導光板を反射板から離隔させる部材の一例であるが、図示の例ではエンボスにより底面と一体に形成されているため「部分」と称している。
【００２４】
ボトムシャーシ１６０は、反射板１３０、第１及び第２ランプ１１２，１１４、及び導光板１１０を順次受納するが、前記底面に具備される第１エンボシング部分１６２、第２エンボシング部分１６４、第３エンボシング部分１６６、及び第４エンボシング部分を通じて反射板１３０から導光板１１０を一定間隔に離隔させる。第１エンボシング部分１６２、第２エンボシング部分１６４、第３エンボシング部分１６６、及び第４エンボシング部分のそれぞれの高さは、反射板１３０の厚さよりは大きい。本発明では、ボトムシャーシ１６０の材質が一般に金属で構成される点を勘案して、ボトムシャーシ１６０の背面でプレス装置などを利用して形成したエンボシング部分を離隔部材の一例として図示したが、別の突出部分を形成し、あるいは別体の部材を用いることもできる。
【００２５】
ディスプレイアセンブリー２００は、液晶パネル２１０、ゲートＰＣＢ（印刷回路板）２２０、データＰＣＢ２３０、ゲート側テープキャリアパッケージ（ＴＣＰと称する）２４０及びデータ側ＴＣＰ２５０を含む。ディスプレイアセンブリー２００は公知のように、バックライトアセンブリー１００の上部に配置され、バックライトアセンブリー１００から出射される光によって画像を表示する。
【００２６】
具体的に、液晶パネル２１０は、カラーフィルター基板２１２と、多数の薄膜トランジスタ（ＴＦＴ）が配列されたアレー基板２１４と、カラーフィルター基板２１２とアレー基板２１４との間に形成された液晶（図示せず）と、  カラーフィルター基板２１２の上に形成された第１偏光板２１６と、アレー基板２１４の下に形成された第２偏光板２１８を含む。
【００２７】
より詳細には、カラーフィルター基板２１２は、光が通過することにより所定の色が発現される色画素であるＲＧＢ画素が薄膜工程によって形成された基板である。カラーフィルター基板２１２の全面にはＩＴＯで構成された共通電極が塗布されている。
【００２８】
アレー基板２１４は、マトリックス状のＴＦＴ（図示せず）が形成されている透明なガラス基板である。前記ＴＦＴのソース端子にはデータラインが連結され、ゲート端子にはゲートラインが連結される。また、ドレーン端子には透明な導電性材質であるインジウムティンオキサイド（ＩＴＯ）で構成された画素電極が形成される。前記データライン及びゲートラインに電気的な信号を入力すると、それぞれのＴＦＴのソース端子とゲート端子に電気的な信号が入力され、この電気的な信号の入力によって前記ＴＦＴはターンオンまたはターンオフされて前記ドレーン端子には画素形成に必要な電気的な信号が出力される。
【００２９】
アレー基板２１４のトランジスタのゲート端子及びソース端子に電力が印加されてＴＦＴがターンオンされると、画素電極とカラーフィルター基板２１３の共通電極との間には電界が形成される。前記電界によってアレー基板２１４とカラーフィルター基板２１３との間に注入された液晶の配列角が変化さし、変化した配列角によって光透過度が変更されて所望する画素を得る。
【００３０】
図示したように、液晶パネル２１０のゲート側にはゲート駆動信号の印加時期を決定するゲート側ＴＣＰ２４０が付着されており、データ側にはデータの駆動信号の印加時期を決定するために、データ側ＴＣＰ２５０が付着されている。
【００３１】
ゲートＰＣＢ２２０は、ゲート側ＴＣＰ２４０と接続されてゲートラインに駆動信号を印加する。データＰＣＢ２３０は、データ側ＴＣＰ２５０と接続されて液晶パネル２１０の外部から画像信号の入力を受けてデータラインに駆動信号を印加する。
【００３２】
前記液晶表示装置がデータＰＣＢ２３０とゲートＰＣＢ２２０を別に具備することを図示したが、データＰＣＢ２２０とゲートＰＣＢ２３０が統合された統合ＰＣＢ（図示せず）を一つだけを具備することもできる。
一方、トップシャーシ３００はバックライトアセンブリー１００のボトムシャーシ１６０との締結を通じてバックライトアセンブリー１００とディスプレイアセンブリー２００を受納する。
【００３３】
図示はしてないが、ボトムシャーシ１６０の下部に具備されるリヤケースと、トップシャーシ３００の上部に具備されるフロントケースを更に含んで液晶表示装置を完成する。
【００３４】
図面上では、反射板１３０の角部の近傍に第１エンボシング部分１６２、第２エンボシング部分１６４、第３エンボシング部分１６６、及び第４エンボシング部分（図示せず）をそれぞれ露出させる第１ホール１３２、第２ホール１３４、第３ホール１３６、及び第４ホール（図示せず）が形成されることを図示したが、前記角部の近傍の対応する領域を除去することもできる。
【００３５】
以上で説明した本発明の第１実施例によると、導光板１１０が受容されるボトムシャーシ１６０に第１エンボシング部分１６２、第２エンボシング部分１６４、第３エンボシング部分１６６、及び第４エンボシング部分（図示せず）を形成して、導光板１１０から反射板１３０を離隔させることで、反射板１３０が導光板１１０によって押されてシートにしわが寄る現象を防ぐことができる。
【００３６】
即ち、反射板１３０には、第１エンボシング部分１６２、第２エンボシング部分１６４、第３エンボシング部分１６６、及び第４エンボシング部分（図示せず）に対応して、それぞれ第１ホール１３２、第２ホール１３４、第３ホール１３６、及び第４ホール（図示せず）が形成され、第１エンボシング部分１６２、第２エンボシング部分１６４、第３エンボシング部分１６６、及び第４エンボシング部分が導光板１１０を直接支えることで、導光板１１０によって反射板１３０が押されることを阻止してシートにしわが寄る現象を防ぐことと共にシートの浮動を阻止することができる。
【００３７】
以上では、フラットな導光板の両側部にランプを具備するバックライトアセンブリーを一例として説明したが、ウエッジ型導光板の一側部にランプを具備するバックライトアセンブリーにも適用することができる。
【００３８】
また、前記導光板の側部、即ち、四つの側部のそれぞれにランプを具備するバックライトアセンブリーにも適用することができる。ここで、前記導光板の四つの側部それぞれにＩ字型ランプ四つを配置することもできるが、四角形状の導光板を利用する場合、Ｌ字型ランプ二つを前記導光板の側部に配置して光をディスプレイアセンブリーに供給することもできる。次に、前記Ｌ字型バックライトアセンブリーを他の一例として説明する。
【００３９】
図５は本発明の第２実施例による液晶表示装置を説明するための分解斜視図であり、図６は図５に図示した液晶表示装置を切断線Ｂ−Ｂ’に沿って見た断面図である。特に、Ｌ字型ランプと一つの反射板を有するバックライトアセンブリーを採用する液晶表示装置を図示する。
【００４０】
図５及び図６を参照すると、本発明の第２実施例による液晶表示装置は、光を発生するバックライトアセンブリー４００、ディスプレイアセンブリー２００、及びトップシャーシ３００を含む。
【００４１】
バックライトアセンブリー４００は、導光板４１０、ランプアセンブリー４２０、反射板４３０、光学シート群４４０、モールドフレーム４５０、及びボトムシャーシ４６０を含み、光をディスプレイアセンブリー２００に提供する。
具体的に、導光板４１０は、ランプアセンブリー４２０から出射される光の経路を変更するが、望ましくは線光源を面光源に変更して光学シート群４４０に提供する。
【００４２】
ランプアセンブリー４２０は、第１Ｌ字型ランプ４２２、第１Ｌ字型ランプ４２２をカバーする第１ランプリフレクター４２４、第２Ｌ字型ランプ４２６、第２Ｌ字型ランプ４２６をカバーする第２ランプリフレクター４２８で構成される。第１及び第２Ｌ字型ランプ４２２，４２６は導光板４１０の両側にそれぞれ具備されて導光板４１０に供給されるべき光を発生させ、第１及び第２ランプリフレクター４２４，４２８は導光板４１０のエッジに接合され、それぞれの第１及び第２Ｌ字型ランプ４２２，４２６から発生した光の漏洩を遮断する。図面上では、同じ厚さのフラット型導光板を図示したが、場所により異なる厚さを有するウエッジ型導光板を採用することもできる。
【００４３】
反射板４３０は、角部の近傍に形成された第１ホール４３２、第２ホール４３４、第３ホール４３６、及び第４ホール（図示せず）を具備して一種のシート形態に形成され、導光板４１０の下に配置され、導光板４１０から漏洩する光を導光板４１０に反射させて光の効率を高める。光学シート群４４０は導光板４１０から出射される光の輝度を均一にする。
【００４４】
モールドフレーム４５０は、ボトムシャーシ４６０に受納され、ボトムシャーシ４６０に順次受納される反射板４３０、導光板４１０、ランプアセンブリー４２０、及び光学シート群４４０の移動を阻止し、組立の時、ディスプレイアセンブリー２００を支える。
【００４５】
ボトムシャーシ４６０は、導光板４１０を支えながら反射板４３０から導光板４１０を一定間隔に離隔するために形成された第１エンボシング部分４６２、第２エンボシング部分４６４、第３エンボシング部分４６６、第４エンボシング部分４６８を有する底面と、前記底面のエッジから延び出し、導光板４１０と反射板４３０を受納するために受納空間を形成する複数の壁を含む。ボトムシャーシ４６０は、反射板４３０、導光板４１０、ランプアセンブリー４２０を順次受納するが、前記底面に具備される第１乃至第４エンボシング部分４６２，４６４，４６６，４６８を通じて反射板４３０から導光板４１０を一定間隔に離隔させる。第１乃至第４エンボシング部分４６２，４６４，４６６，４６８の高さは反射板４３０の厚さよりは大きい。
【００４６】
ディスプレイユニット２００は前記した図３で示した構成要素と同じ符号を付与し、その説明は省略する。
図面上では、反射板４３０の角部の近傍に第１乃至第４エンボシング部分４６２，４６４，４６６，４６８を露出させるホールが形成されることを図示したが、前記した角部の近傍の対応する領域を除去することもできる。
【００４７】
以上で説明した本発明の第２実施例によると、導光板が受容されるボトムシャーシにエンボシング部分を形成して、前記導光板から反射板を離隔させることで、前記反射板が前記導光板によって押されてシートにしわが寄る現象を防ぐことができる。即ち、前記反射板にはエンボシング部分に対応してホールが形成されて前記エンボシング部分が前記導光板を直接支えることで、前記導光板によって前記反射板が押されることを阻止してシートにしわが寄る現象を防ぐと共に、シートの浮動を阻止することができる。
【００４８】
図７は、本発明の第３実施例による液晶表示装置を表示するための分解斜視図であり、図８は、図７に図示した液晶表示装置を切断線Ｃ−Ｃ’に沿って見た断面図である。特に、Ｌ字型ランプと二つの反射板を有するバックライトアセンブリーを採用する液晶表示装置を図示する。
【００４９】
図７及び図８を参照すると、本発明の第３実施例による液晶表示装置は、光を発生するバックライトアセンブリー５００、ディスプレイアセンブリー２００、及びトップシャーシ３００を含む。
【００５０】
バックライトアセンブリー５００は、導光板５１０、第１及び第２Ｌ字型ランプ５２２，５２４、第１反射板５３０、第２反射板５４０、光学シート群５５０、モールドフレーム５６０、及びボトムシャーシ５７０を含み、光をディスプレイアセンブリー２００に提供する。
【００５１】
具体的に、導光板５１０は、第１及び第２Ｌ字型ランプ５２２，５２４から出射される光の経路を変更するが、望ましくは線光源を面光源に変更して光学シート群５５０に提供する。
【００５２】
第１及び第２Ｌ字型ランプ５２２，５２４は導光板５１０の両側にそれぞれ具備されて導光板５１０に供給されるべき光を発生させ、第２反射板５４０は導光板５１０の下部及び第１及び第２Ｌ字型ランプ５２２，５２４をカバーしかつ第１及び第２Ｌ字型ランプ５２２，５２４から発散された光の漏洩を遮断する。
【００５３】
第１反射板５３０は角部の近傍に形成された複数のホール５３２，５２４，５３６を具備して一種のシート形態に形成され、導光板５１０の下に配置され、導光板５１０から漏洩する光を導光板５１０に反射させて光の効率を高める。
【００５４】
第２反射板５４０は、第１反射板５３０の下に配置され、第１反射板５３０を通じて漏洩する光を第１反射板に再び反射する機能を発揮し、第１及び第２Ｌ字型ランプ５２２，５２４の外側を囲みかつ第１及び第２Ｌ字型ランプ５２２，５２４から出射された光を導光板５１０に反射する機能も達成する。
【００５５】
光学シート群５５０は、導光板５１０から出射される光の輝度を均一にする。
モールドフレーム５６０は、ボトムシャーシ５７０に受納され、ボトムシャーシ５７０に順次受納される第２反射板５４０、第１反射板５３０、導光板５１０、第１及び第２Ｌ字型ランプ５２２，５２４、及び光学シート群５５０の移動を阻止し、組立の時、ディスプレイアセンブリー２００を支える。
【００５６】
ボトムシャーシ５７０は、導光板５１０を支えながら第１及び第２反射板５３０，５４０から導光板５１０を一定間隔に離隔させるために形成された第１エンボシング部分５７２、第２エンボシング部分５７４、第３エンボシング部分５７６、及び第４エンボシング部分（図示せず）を有する底面と、前記底面のエッジから延び出して導光板５１０と第１及び第２反射板５３０，５４０受納するために受納空間を形成する複数の壁を含む。
【００５７】
ボトムシャーシ５７０は、第１及び第２反射板５３０, ５４０、導光板５１０、第１及び第２Ｌ字型ランプ５２２, ５２４及び光学シート群５５０を順次受納するが、前記底面に具備される第１エンボシング部分５７２、第２エンボシング部分５７４、 第３エンボシング部分５７６、及び第４エンボシング部分(図示せず)を通じて第１及び第２反射板５３０, ５４０から導光板５１０を一定間隔に離隔させる。
【００５８】
第１エンボシング部分５７２、第２エンボシング部分５７４、第３エンボシング部分５７６、及び第４エンボシング部分(図示せず)のそれぞれの高さは、第１反射板５３０の厚さと第２反射板５４０との合計よりは大きい。もちろん、第１反射板５３０や第２反射板５４０には前記エンボシング部分が導光板から露出されるように複数のホールが形成される。
【００５９】
ディスプレイユニット２００は、図２で説明した構成要素と同じものには同じ符号を付与し、その説明は省略する。
図面上では、第１反射板５３０及び第２反射板５４０の角部の近傍に第１乃至第３エンボシング部分５７２, ５７４, ５７６を露出させる個別のホールが形成されることを図示したが、前記角部の近傍に対応する領域を除去することもできる。
【００６０】
以上、説明した本発明の第３実施例によると、前記導光板が受容されるボトムシャーシにエンボシング部分を形成し、前記ボトムシャーシに二つの反射板を順次積層することで、前記反射板が導光板によって押されてシートにしわが寄る現象を防ぐことができる。即ち、前記ボトムシャーシの底面に対面する下部反射板は前記ボトムシャーシの壁まで拡張させ、その上に積層される上部反射板は前記導光板の面積と大略同じ面積に形成し、二つの反射板にはエンボシング部分に対応して一定のホール又は開口が形成されて前記エンボシング部分が導光板を直接支えることで、前記導光板によって前記反射板が押されることを阻止して、シートにしわが寄る現象を防ぐと共にシートの浮動を阻止し、壁まで拡張された前記下部反射板にランプリフレクターの機能まで付与することができる。
【００６１】
以上の本発明の第１乃至第３実施例では、ボトムシャーシの底面に複数のエンボシング部分を形成して導光板から反射板を離隔させることを説明したが、図９のように導光板の底面に複数のエンボシング部分を形成してボトムシャーシから反射板を離隔させることもできる。 
【００６２】
図９は、本発明の第４実施例による液晶表示裝置を示すための図面である。特に、液晶表示装置に採用されるバックライトアセンブリーを図示する。
図９に図示したように、本発明の第４実施例による液晶表示装置に採用されるバックライトアセンブリーは、導光板６１０、反射板６２０、及び光学シート群６３０を含む。説明の便宜のために、バックライトアセンブリーの下部から導光板６１０、反射板６２０、及び光学シート群６３０のみを観察した斜視図を図示する。
【００６３】
導光板６１０は、ランプ(図示せず)から出射された光の提供を受ける第１及び第２光入射面６１２, ６１４と、前記第１及び第２光入射面６１２, ６１４の第１辺に接する光反射面６１６と、第２辺に接する側で光を出光する出射面６１８を含み、前記ランプから提供される光をガイドして光学シート群６３０に出射する。光反射面６１６の角部の近傍には第１エンボシング部分６１６a、第２エンボシング部分６１６ｂ、第３エンボシング部分６１６ｃ、及び第４エンボシング部分６１６ｄがそれぞれ形成される。
【００６４】
反射板６２０は、角部の近傍に形成された第１乃至第４ホ−ル６２２, ６２４, ６２６, ６２８を具備して、一種のシート形態に形成され、導光板６１０の下、即ち、導光板の光反射面６１６に配置され、導光板６１０から漏洩する光を導光板６１０に反射させて光の効率を高める。
【００６５】
光学シート群６３０は導光板６１０の上、即ち、導光板６１０の出射面６１８に配置され、導光板６１０から出射される光の輝度を均一にする。
【産業上の利用可能性】
【００６６】
以上、説明したように、本発明によると、導光板が受容されるボトムシャーシにエンボシング部分を形成して前記導光板から反射板を離隔することで、前記反射板が前記導光板によって押されてシートにしわが寄る現象を防いで表示不良を除去することができる。
【００６７】
また、導光板が受容されるボトムシャーシにエンボシング部分を形成し、 前記ボトムシャーシに二つの反射板を順次積層することで、 前記反射板が導光板によって押されてシートにしわが寄る現象を防いで表示不良を除去することができる。
以上、本発明の実施例によって詳細に説明したが、本発明はこれに限定されず、本発明が属する技術分野において通常の知識を有するものであれば本発明の思想と精神を離れることなく、本発明を修正または変更できる。
【図面の簡単な説明】
【００６８】
【図１】一般的なエッジ型バックライトアセンブリーを示すための図である。
【図２】一般的なエッジ型バックライトアセンブリーの他の形式を示すための図である。
【図３】本発明の第１実施例による液晶表示装置を示すための分解斜視図である。
【図４】前記図３に図示した液晶表示装置を切断線Ａ−Ａ’に沿って見た断面図である。
【図５】本発明の第２実施例による液晶表示装置を示すための分解斜視図である。
【図６】前記図５に図示した液晶表示装置を切断線Ｂ−Ｂ’に沿って見た断面図である。
【図７】本発明の第３実施例による液晶表示装置を示すための分解斜視図である。
【図８】前記図７に図示した液晶表示装置を切断線Ｃ−Ｃ’に沿って見た断面図である。
【図９】本発明の第４実施例による液晶表示装置を示すための図である。
【符号の説明】
【００６９】
１０    フラットタイプ導光板
１２、２０、１１０、４１０、５１０、６１０    導光板
１６    光学シート
１８、２８、１３０、４３０、６２０    反射板
２２    ランプリフレクター
２４    ランプユニット
・  １４０、４４０、５５０、６３０    光学シート群
１００、４００、５００    バックライトアセンブリー
１１２    第１ランプ
１１４    第２ランプ
１２２、４２４、５２４    第１ランプリフレクター
１２４、４２８    第２ランプリフレクター
１３２、４３２、６２２    第１ホール  
１３４、４３４、６２４    第２ホール
１３６、４３６、６２６    第３ホール
１５０、４５０、５６０    モールドフレーム
１６０、４６０、５７０    ボトムシャーシ
１６２、４６２、５７２    第１エンボシング部分
１６４、４６４、５７４    第２エンボシング部分
１６６、４６６、５７６    第３エンボシング部分
２００    ディスプレイアセンブリー
２１０    液晶パネル
２１２、２１３    カラーフィルター基板
２１４    アレー基板
２１６    第１偏光板
２１８    第２偏光板
２２０    ゲートＰＣＢ
２３０    データＰＣＢ
２４０    ゲート側ＴＣＰ
２５０    データ側ＴＣＰ
３００    トップシャーシ
４２０    ランプアセンブリー
４２２、５２２    第１Ｌ字型ランプ
４２６    第２Ｌ字型ランプ
４６８    第４エンボシング部分
５３０    第１反射板
５３２、５３４、５３６    ホール
５４０    第２反射板
６１２    第１光入射面
６１４    第２光入射面
６１６    光反射面
６１８    出射面
６２８    第４ホール
【図１】
2005032723.tif 000003
【図２】
2005032723.tif 000004
【図３】
2005032723.tif 000005
【図４】
2005032723.tif 000006
【図５】
2005032723.tif 000007
【図６】
2005032723.tif 000008
【図７】
2005032723.tif 000009
【図８】
2005032723.tif 000010
【図９】
2005032723.tif 000011